(57)【要約】【課題】本発明は点灯装置、照明器具および電源装置に関し、消費電力を低減できる点灯装置、照明器具および電源装置を得ることを目的とする。【解決手段】本発明に係る点灯装置は、外部電源から電力供給を受け光源を点灯させるスイッチング電源部と、外部電源からスイッチング電源部への電力供給線路上に設けられた保護回路と、保護回路を介して外部電源から電力供給を受け、制御電源を生成する制御電源回路と、制御電源の電力を外部装置に供給する外部装置接続部と、スイッチング電源部を制御する制御部と、を備え、保護回路は、限流素子と、限流素子と並列に接続され、スイッチング電源部が動作することで導通するバイパス回路と、を有し、制御部は、スイッチング電源部が停止しているときに外部装置接続部から外部装置に供給される電力が予め定められた値を超えると、スイッチング電源部を動作させる。【選択図】図１
2020092489.tif 000002
【特許請求の範囲】
【請求項１】
外部電源から電力供給を受け、スイッチング素子のオンオフにより光源を点灯させるスイッチング電源部と、
前記外部電源から前記スイッチング電源部への電力供給線路上に設けられた保護回路と、
前記保護回路を介して前記外部電源から電力供給を受け、制御電源を生成する制御電源回路と、
前記制御電源の電力を外部装置に供給する外部装置接続部と、
前記スイッチング電源部を制御する制御部と、
を備え、
前記保護回路は、前記電力供給線路上に設けられた限流素子と、前記限流素子と並列に接続され、前記スイッチング電源部が動作することで導通するバイパス回路と、を有し、
前記制御部は、前記スイッチング電源部が停止しているときに前記外部装置接続部から前記外部装置に供給される電力が予め定められた値を超えると、前記スイッチング電源部を動作させることを特徴とする点灯装置。
【請求項２】
前記スイッチング電源部は、前記外部電源から電力供給を受けて定電圧を生成する第１スイッチング電源部と、前記定電圧から前記光源を点灯させる電力を生成する第２スイッチング電源部と、を有し、
前記バイパス回路は、前記第１スイッチング電源部が動作することで導通し、
前記制御部は、前記第１スイッチング電源部および前記第２スイッチング電源部が停止しているときに前記外部装置接続部から前記外部装置に供給される電力が予め定められた値を超えると、前記第１スイッチング電源部を動作させ、前記第２スイッチング電源部を動作させないことを特徴とする請求項１に記載の点灯装置。
【請求項３】
前記制御部は、前記光源が消灯しているとき、前記第１スイッチング電源部および前記第２スイッチング電源部を停止させることを特徴とする請求項２に記載の点灯装置。
【請求項４】
前記バイパス回路はサイリスタを有し、
前記サイリスタは前記スイッチング素子のオンオフにより発生する電力に応じてオンすることを特徴とする請求項１から３の何れか１項に記載の点灯装置。
【請求項５】
前記制御部は、前記スイッチング電源部が停止しているときに前記制御電源回路への入力電圧が予め定められた値よりも小さくなると、前記スイッチング電源部を動作させることを特徴とする請求項１から４の何れか１項に記載の点灯装置。
【請求項６】
前記外部装置接続部に接続され、前記外部装置接続部から前記外部装置に供給される電流が流れる検出抵抗を備え、
前記制御部は、前記検出抵抗に印加される電圧を検出する検出端子を有し、
前記制御部は、前記スイッチング電源部が停止しているときに前記検出抵抗に印加される電圧が予め定められた値よりも大きくなると、前記スイッチング電源部を動作させることを特徴とする請求項１から４の何れか１項に記載の点灯装置。
【請求項７】
請求項１から６の何れか１項に記載の点灯装置と、
前記光源と、
を備えることを特徴とする照明器具。
【請求項８】
請求項１から６の何れか１項に記載の点灯装置と、
前記制御電源からの電力で動作する前記外部装置と、
を備えることを特徴とする電源装置。
【発明の詳細な説明】
【技術分野】
【０００１】
本発明は、点灯装置、照明器具および電源装置に関する。
【背景技術】
【０００２】
特許文献１には、直流電源と、昇圧チョッパ回路とを備える電源装置が開示されている。昇圧チョッパ回路は、エネルギーを蓄積するインダクタを有し、直流電源の電圧を昇圧する。この電源装置は、直流電源とインダクタとの間に接続された限流要素と、限流要素に並列に接続されたスイッチング素子を備える。スイッチング素子は、昇圧チョッパ回路のインダクタのエネルギーを用いてオンする。電源投入後の突入電流は限流要素で抑制される。昇圧チョッパ回路が動作を開始するとスイッチング素子がオンされ、限流要素の両端が短絡される。これにより、突入電流が流れ終わった後に限流要素により電力損失が生じないようにしてある。
【先行技術文献】
【特許文献】
【０００３】
【特許文献１】特許第３５５１４５１号公報
【発明の概要】
【発明が解決しようとする課題】
【０００４】
照明器具から外部機器へ動作電源を供給することがある。消灯モードにおいて昇圧チョッパ回路が停止している際に外部機器に動作電源を供給する場合、特許文献１の構成では、限流要素の両端が短絡されない。従って、限流要素により電力損失が大きくなるおそれがある。
【０００５】
本発明は、上述の課題を解決するためになされたもので、消費電力を低減できる点灯装置、照明器具および電源装置を得ることを目的とする。
【課題を解決するための手段】
【０００６】
本発明に係る点灯装置は、外部電源から電力供給を受け、スイッチング素子のオンオフにより光源を点灯させるスイッチング電源部と、該外部電源から該スイッチング電源部への電力供給線路上に設けられた保護回路と、該保護回路を介して該外部電源から電力供給を受け、制御電源を生成する制御電源回路と、該制御電源の電力を外部装置に供給する外部装置接続部と、該スイッチング電源部を制御する制御部と、を備え、該保護回路は、該電力供給線路上に設けられた限流素子と、該限流素子と並列に接続され、該スイッチング電源部が動作することで導通するバイパス回路と、を有し、該制御部は、該スイッチング電源部が停止しているときに該外部装置接続部から該外部装置に供給される電力が予め定められた値を超えると、該スイッチング電源部を動作させる。
【発明の効果】
【０００７】
本発明に係る点灯装置では、スイッチング電源部が停止しているときに外部装置に供給される電力が予め定められた値を超えると、スイッチング電源部が動作する。このため、外部装置の消費電力が大きいときにバイパス回路が導通し、限流素子による電力損失を抑制できる。従って、消費電力を低減できる。
【図面の簡単な説明】
【０００８】
【図１】実施の形態１に係る照明器具の回路ブロック図である。
【図２】実施の形態１に係る照明器具の動作を説明する図である。
【図３】実施の形態２に係る照明器具の回路ブロック図である。
【図４】実施の形態２に係る照明器具の動作を説明する図である。
【発明を実施するための形態】
【０００９】
本発明の実施の形態に係る点灯装置、照明器具および電源装置について図面を参照して説明する。同じ又は対応する構成要素には同じ符号を付し、説明の繰り返しを省略する場合がある。
【００１０】
実施の形態１．
図１は、実施の形態１に係る照明器具１００の回路ブロック図である。照明器具１００は、複数の光源５１を有する光源部５０と、点灯装置１０を備える。光源５１は、例えばＬＥＤ等の発光素子である。光源部５０において、複数の光源５１は直列に接続されている。これに限らず、複数の光源５１は、並列または直並列に接続されても良い。また、光源部５０は光源５１を１つ以上有すれば良い。
【００１１】
点灯装置１０は、外部電源ＡＣから電力を供給され、光源５１を点灯させる。外部電源ＡＣは、例えば商用電源等の交流電源である。点灯装置１０は、端子部ＣＮ１、整流器ＤＢ、スイッチング電源部３０、制御部ＩＣ１、端子部ＣＮ２及び端子部ＣＮ３を備える。端子部ＣＮ１には外部電源ＡＣが接続される。端子部ＣＮ２には光源部５０が接続される。端子部ＣＮ３には制御ユニット６０が接続される。
【００１２】
整流器ＤＢは、端子部ＣＮ１に接続され、外部電源ＡＣの交流電力を整流する。スイッチング電源部３０は、外部電源ＡＣから整流器ＤＢを介して電力供給を受け、スイッチング素子Ｑ１、Ｑ２のオンオフにより光源５１を点灯させる。スイッチング電源部３０は、第１スイッチング電源部３１と第２スイッチング電源部３２を有する。第１スイッチング電源部３１は、外部電源ＡＣから電力供給を受けて定電圧を生成する。第２スイッチング電源部３２は、第１スイッチング電源部３１が生成した定電圧から光源５１を点灯させる電力を生成する。
【００１３】
第１スイッチング電源部３１は、整流器ＤＢで整流された脈流電圧を昇圧し、コンデンサＣ１に予め定められた直流高電圧を充電する。第１スイッチング電源部３１は、例えば昇圧チョッパ回路等の昇圧回路である。第１スイッチング電源部３１は整流器ＤＢの出力に接続される。第１スイッチング電源部３１はコイルＬ１を備える。コイルＬ１の一端は、保護回路２０を介して整流器ＤＢの出力の高電位側と電気的に接続される。コイルＬ１の他端には、スイッチング素子Ｑ１のドレインおよびダイオードＤ１のアノードが接続される。
【００１４】
スイッチング素子Ｑ１は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子Ｑ１のソースは、整流器ＤＢの出力の低電位側に接続される。スイッチング素子Ｑ１のゲートはＭＯＳＦＥＴドライバー４３に接続される。ダイオードＤ１のカソードは、コンデンサＣ１の正極に接続される。
【００１５】
コンデンサＣ１の負極は、整流器ＤＢの出力の低電位側に接続される。コンデンサＣ１と並列に、抵抗Ｒ２、Ｒ３の直列回路が接続される。抵抗Ｒ２、Ｒ３の接続点は、制御部ＩＣ１のＰ１端子に接続される。制御部ＩＣ１は、スイッチング電源部３０を制御する。制御部ＩＣ１は、例えばマイコンである。
【００１６】
第１スイッチング電源部３１の出力電圧は、コンデンサＣ１に充電される。コンデンサＣ１の両端電圧は、抵抗Ｒ２、Ｒ３で分圧され、制御部ＩＣ１に入力される。制御部ＩＣ１は、Ｐ１端子の電圧が予め定められた目標値と一致するように、Ｖｇ１端子からスイッチング素子Ｑ１をオンオフするスイッチング信号を出力する。
【００１７】
ここで、一般にマイコンの出力電圧はＭＯＳＦＥＴの駆動電圧よりも小さい。このため、制御部ＩＣ１からのスイッチング信号はＭＯＳＦＥＴドライバー４３に入力される。ＭＯＳＦＥＴドライバー４３はスイッチング信号に応じて、スイッチング素子Ｑ１をオンオフする。これにより、安定なスイッチングを実現できる。
【００１８】
コンデンサＣ１には第２スイッチング電源部３２が接続される。第２スイッチング電源部３２は、例えばバックコンバータ回路等の降圧回路である。第２スイッチング電源部３２において、コンデンサＣ１の正極には、スイッチング素子Ｑ２のドレインが接続される。スイッチング素子Ｑ２は、例えばＭＯＳＦＥＴである。スイッチング素子Ｑ２のソースには、ダイオードＤ２のカソードおよびコイルＬ２の一端が接続される。スイッチング素子Ｑ２のゲートは、ＭＯＳＦＥＴドライバー４３に接続される。
【００１９】
ダイオードＤ２のアノードには、コンデンサＣ１の負極および抵抗Ｒ４の一端が接続される。コイルＬ２の他端には、コンデンサＣ３の正極が接続される。コンデンサＣ３の負極には抵抗Ｒ４の他端が接続される。また、抵抗Ｒ４の他端は、制御部ＩＣ１のＰ３端子に入力される。コンデンサＣ３と並列に、端子部ＣＮ２を介して光源部５０が接続される。第２スイッチング電源部３２の出力電圧は、コンデンサＣ３で平滑され、光源部５０に供給される。
【００２０】
抵抗Ｒ４に印加される電圧は、光源部５０を流れる電流に対応する。ＬＥＤに流れる電流は、抵抗Ｒ４にて電圧に変換される。制御部ＩＣ１は、抵抗Ｒ４に印加される電圧をＰ３端子から検出する。制御部ＩＣ１は、Ｐ３端子の電圧が予め定められた目標値と一致するように、Ｖｇ２端子からスイッチング素子Ｑ２をオンオフするスイッチング信号を出力する。スイッチング素子Ｑ１と同様に、制御部ＩＣ１はＭＯＳＦＥＴドライバー４３を介して、スイッチング素子Ｑ２をオンオフする。これにより、光源５１は定電流制御で点灯する。
【００２１】
また、コンデンサＣ１の正極には、制御電源回路４１が接続される。制御電源回路４１は、保護回路２０を介して外部電源ＡＣから電力供給を受け、制御電源Ｖ１を生成する。制御電源回路４１は、第１スイッチング電源部３１の出力電圧から制御電源Ｖ１を生成する。コンデンサＣ１に蓄えられた電荷は、制御電源回路４１から制御電源Ｖ１に供給される。制御電源Ｖ１の電圧は、例えばＤＣ１５Ｖである。
【００２２】
制御電源回路４１の出力とコンデンサＣ１の負極との間には、コンデンサＣ２が接続される。制御電源Ｖ１の電圧は、コンデンサＣ２の両端に印加される電圧である。制御電源Ｖ１は、ＭＯＳＦＥＴドライバー４３に供給される。つまり、制御電源Ｖ１はスイッチング素子Ｑ１、Ｑ２を駆動させる電力を供給する。
【００２３】
また、制御電源Ｖ１は、降圧回路部４２により降圧され、制御部ＩＣ１のＶＤＤ端子に入力される。ＶＤＤ端子に入力される電圧は、例えばＤＣ５Ｖである。このように、制御部ＩＣ１は制御電源Ｖ１から電源を供給される。
【００２４】
端子部ＣＮ３は、制御電源Ｖ１と接続された第１端子と、接地用端子である第２端子を有する。第２端子の電位は回路基準電位に等しい。第１端子と第２端子との間には、制御電源Ｖ１と等しい電圧が印加される。端子部ＣＮ３には外部装置が接続される。端子部ＣＮ３は、制御電源Ｖ１の電力を外部装置に供給する外部装置接続部である。本実施の形態では、外部装置は制御ユニット６０である。点灯装置１０と、制御電源Ｖ１からの電力で動作する外部装置は、電源装置７０を構成する。
【００２５】
制御ユニット６０は、制御電源Ｖ１を得て動作する。制御ユニット６０は機能拡張ユニットとも呼ばれる。制御ユニット６０は、例えば監視カメラまたは各種センサを有する。制御ユニット６０は照明器具１００による明かりの提供とは異なる機能を備えている。
【００２６】
次に、保護回路２０について説明する。保護回路２０は、外部電源ＡＣからスイッチング電源部３０への電力供給線路１１上に設けられる。保護回路２０は、整流器ＤＢの高電位側の出力端子と、スイッチング電源部３０との間に接続される。
【００２７】
保護回路２０は電力供給線路１１上に設けられた限流素子Ｒ１０と、限流素子Ｒ１０と並列に接続されたバイパス回路２１とを有する。限流素子Ｒ１０は抵抗である。限流素子Ｒ１０の一端は、整流器ＤＢの高電位側の出力端子に接続される。限流素子Ｒ１０の他端は、コイルＬ１の一端に接続される。
【００２８】
バイパス回路２１は、サイリスタＱ１０を有する。サイリスタＱ１０のアノードは限流素子Ｒ１０の一端と接続され、カソードは限流素子Ｒ１０の他端と接続される。サイリスタＱ１０のゲートには、抵抗Ｒ１１の一端と、コンデンサＣ４の正極が接続される。抵抗Ｒ１１の他端には、ダイオードＤ３のカソードが接続される。ダイオードＤ３のアノードは、コイルＬ１の中点巻き線に接続される。コンデンサＣ４の負極は、サイリスタＱ１０のカソードとコイルＬ１の一端との間で、電力供給線路１１に接続される。コンデンサＣ４は、サイリスタＱ１０のゲートとカソード間の電圧を安定化させる。
【００２９】
第１スイッチング電源部３１のスイッチングが開始すると、コイルＬ１の両端に電位差が発生する。これにより、ダイオードＤ３と抵抗Ｒ１１を介してコンデンサＣ４が充電される。ダイオードＤ３は、コンデンサＣ４からコイルＬ１の中点巻き線に電流が逆流することを防止している。コンデンサＣ４で安定化された電圧により、サイリスタＱ１０がオンする。つまり、サイリスタＱ１０はスイッチング素子Ｑ１のオンオフにより発生する電力に応じてオンする。従って、バイパス回路２１は、第１スイッチング電源部３１が動作することで導通する。
【００３０】
従って、整流器ＤＢの出力する電流の経路は、第１スイッチング電源部３１の動作状態に応じて変わる。第１スイッチング電源部３１が動作しているとき、電流はサイリスタＱ１０のアノードとカソードを経由する。第１スイッチング電源部３１が動作していないとき、電流は限流素子Ｒ１０を経由する。
【００３１】
一般に、電源回路が有する平滑コンデンサに電荷が蓄えられていない低インピーダンス状態では、商用電源から電源回路に大きな電流が流れ込む場合がある。この電流は突入電流と呼ばれる。突入電流によって商用電源をオンオフするためのスイッチなどが故障する恐れがある。例えば１つの商用電源回路網に照明器具が複数台接続される場合には、照明器具に商用電源オン時に発生する突入電流を抑制する機能が設けられる場合がある。
【００３２】
本実施の形態では、外部電源ＡＣがオンされたとき、第１スイッチング電源部３１が動作するまでは限流素子Ｒ１０を電流が流れる。従って、突入電流を限流素子Ｒ１０で抑制できる。
【００３３】
ところで、サイリスタＱ１０がない、または、サイリスタＱ１０をオンさせない状態では、限流素子Ｒ１０からスイッチング電源部３０および光源部５０に電力を供給することになる。このため、限流素子Ｒ１０による損失が大きくなる。これに対し、本実施の形態では、スイッチング電源部３０の動作時には、バイパス回路２１を介して電力を供給する。光源部５０が点灯しているときは、限流素子Ｒ１０を迂回して電流を流すことで、回路損失を抑制できる。
【００３４】
外部電源ＡＣがオンしたときの照明器具１００の動作は次の通りである。まず、外部電源ＡＣ、整流器ＤＢ、限流素子Ｒ１０、コイルＬ１、ダイオードＤ１、コンデンサＣ１の順で電流が流れ、コンデンサＣ１に電圧が蓄えられる。このとき、突入電流は限流素子Ｒ１０で抑制される。次に、コンデンサＣ１の電圧で、制御電源回路４１が動作し、制御電源Ｖ１が生成される。これにより、制御部ＩＣ１が動作する。次に、制御部ＩＣ１が第１スイッチング電源部３１を動作させる。次に、スイッチング素子Ｑ１のスイッチングにより、コイルＬ１の中点巻き線から得られた電圧でサイリスタＱ１０がオンする。次に、サイリスタＱ１０を経由して、外部電源ＡＣから第１スイッチング電源部３１、第２スイッチング電源部３２、光源部５０に電力が供給される。
【００３５】
本実施の形態ではコンデンサＣ１が充電されてから、サイリスタＱ１０がオンする。従って、コンデンサＣ１が充電されていない間は、限流素子Ｒ１０により突入電流を確実に抑制できる。
【００３６】
次に光源部５０の消灯モード、つまり待機状態について考える。消灯モードは、リモコンなどによる外部からの操作で光源部５０を消灯させた状態を示す。外部からの消灯指令は、制御部ＩＣ１のＰ２端子に入力される。制御部ＩＣ１は、消灯指令を検出すると、光源部５０を消灯するため第２スイッチング電源部３２を停止させる。さらに、制御部ＩＣ１は、光源５１が消灯しているとき、第２スイッチング電源部３２に加えて第１スイッチング電源部３１を停止させる。これにより、回路損失を低減できる。
【００３７】
消灯時においても、制御部ＩＣ１および制御ユニット６０を動作させるために、制御電源回路４１は動作を継続する。このとき、第１スイッチング電源部３１が停止しているため、制御電源回路４１は限流素子Ｒ１０から電流の供給を受ける。
【００３８】
一般に、制御ユニット６０により拡張される機能が高いほど、制御ユニット６０は高消費電力となる。サイリスタＱ１０がオフした状態では、制御ユニット６０の消費電力が大きくなるほど、限流素子Ｒ１０から制御電源回路４１に流れる電流が大きくなる。従って、限流素子Ｒ１０による損失が大きくなる。
【００３９】
これに対し本実施の形態では、制御部ＩＣ１は、スイッチング電源部３０が停止しているときに端子部ＣＮ３から外部装置に供給される電力が予め定められた値を超えると、スイッチング電源部３０を動作させる。これにより、制御ユニット６０の消費電力が小さいときは、スイッチング電源部３０を停止させて待機電力を抑制でき、制御ユニット６０の消費電力が大きいときは限流素子Ｒ１０による損失を抑制できる。従って、照明器具１００の消費電力を低減できる。
【００４０】
また、制御部ＩＣ１は、第１スイッチング電源部３１および第２スイッチング電源部３２が停止しているときに制御ユニット６０の消費電力が予め定められた値を超えると、第１スイッチング電源部３１を動作させる。この際、制御部ＩＣ１は、第２スイッチング電源部３２を動作させない。これにより、消灯状態を維持してサイリスタＱ１０をオンすることができる。
【００４１】
次に、制御ユニット６０の消費電力の検出方法を説明する。制御ユニット６０の消費電力は、コンデンサＣ１の電圧をモニタすることで検出できる。制御ユニット６０の消費電力が大きくなると、限流素子Ｒ１０を流れる電流が大きくなり、限流素子Ｒ１０の電圧降下が大きくなる。このため、コンデンサＣ１の充電電圧が低下する。制御部ＩＣ１は、コンデンサＣ１の充電電圧をＰ１端子から検出する。制御部ＩＣ１は、第１スイッチング電源部３１が停止しているときにコンデンサＣ１の両端に印加される電圧が予め定められた値よりも小さくなると、第１スイッチング電源部３１を動作させる。Ｐ１端子から検出される電圧は、制御電源回路４１への入力電圧でも良い。
【００４２】
また、第１スイッチング電源部３１が動作していない状態では、コンデンサＣ１にインプットされる脈流電圧が大きくなる。制御部ＩＣ１は脈流電圧の大きさに応じて第１スイッチング電源部３１を動作させても良い。
【００４３】
図２は、実施の形態１に係る照明器具１００の動作を説明する図である。時刻ｔ１以前では、端子部ＣＮ３から電流は流れていない。また、第１スイッチング電源部３１は停止状態であり、スイッチング素子Ｑ１はオフ状態を維持している。このとき、コンデンサＣ１には、外部電源ＡＣを整流した電圧が充電されている。つまり、Ｐ１端子電圧は一定値を維持する。
【００４４】
時刻ｔ１において、制御ユニット６０が接続される。また、時刻ｔ１において、制御ユニット６０が動作を開始したとしても良い。これにより、端子部ＣＮ３の出力電流が増加する。また、端子部ＣＮ３から電力供給されたため、コンデンサＣ１の電圧が低下し始める。従って、Ｐ１端子電圧が低下する。
【００４５】
時刻ｔ２において、端子部ＣＮ３からの出力電流が予め定められた値よりも大きくなる。このとき制御部ＩＣ１は、Ｐ１端子の電圧が閾値Ｖｔｈ１よりも低下したことを検出する。閾値Ｖｔｈ１は、例えば制御部ＩＣ１が有する記憶部に記憶されている。これにより、制御部ＩＣ１は、スイッチング素子Ｑ１のスイッチングを開始する。
【００４６】
時刻ｔ２以降では、スイッチング素子Ｑ１がオンオフしている。第１スイッチング電源部３１が動作を開始したため、コンデンサＣ１の電圧は、一定電圧まで昇圧される。
【００４７】
以上の制御により、制御ユニット６０により照明器具１００の機能拡張と、待機電力の抑制を満足させることができる。従って、低消費電力かつ高い付加価値を有する高機能な照明器具１００を得ることができる。
【００４８】
また、本実施の形態では消灯モードにおいても制御電源回路４１が動作する。このため、消灯モードにおいても制御部ＩＣ１および制御ユニット６０により適切な制御を実施できる。
【００４９】
本実施の形態の変形例として、制御部ＩＣ１は消灯時において、限流素子Ｒ１０による消費電力が、第１スイッチング電源部３１が動作することによる消費電力よりも大きくなったら、第１スイッチング電源部３１を動作させても良い。これにより、照明器具１００の待機電力を効率よく抑制できる。
【００５０】
また、本実施の形態のバイパス回路２１では、スイッチング素子Ｑ１のオンオフに伴いコイルＬ１に発生する電力によりサイリスタＱ１０がオンする。これに限らず、バイパス回路２１は、スイッチング電源部３０が動作することで導通すれば別の構成でも良い。
【００５１】
また、端子部ＣＮ３に供給される電源は、実施の形態１の制御電源Ｖ１に限らず、点灯装置１０において保護回路２０を介して外部電源ＡＣから電力供給を受けて生成される電源であれば良い。
【００５２】
これらの変形は以下の実施の形態に係る点灯装置、照明器具および電源装置について適宜応用することができる。なお、以下の実施の形態に係る点灯装置、照明器具および電源装置については実施の形態１との共通点が多いので、実施の形態１との相違点を中心に説明する。
【００５３】
実施の形態２．
図３は、実施の形態２に係る照明器具２００の回路ブロック図である。照明器具２００は、点灯装置２１０を備える。点灯装置２１０は検出抵抗Ｒ２０を備える。検出抵抗Ｒ２０は、一端が端子部ＣＮ３の第２端子と制御部ＩＣ１のＰ４端子に接続され、他端がコンデンサＣ１の負極に接続される。検出抵抗Ｒ２０には、端子部ＣＮ３から制御ユニット６０に供給される電流が流れる。
【００５４】
Ｐ４端子は、検出抵抗Ｒ２０に印加される電圧を検出する検出端子である。制御部ＩＣ１は、Ｐ４端子から検出抵抗Ｒ２０に印加される電圧を検出する。制御部ＩＣ１は、検出抵抗Ｒ２０に印加される電圧から、端子部ＣＮ３から制御ユニット６０へ流れる電流が大きくなったことを検出できる。制御部ＩＣ１は、スイッチング電源部３０が停止しているときに検出抵抗Ｒ２０に印加される電圧が予め定められた値よりも大きくなると、スイッチング電源部３０を動作させる。従って、実施の形態１と同様に、制御ユニット６０の消費電力が小さいときは待機電力を抑制でき、制御ユニット６０の消費電力が大きいときは限流素子Ｒ１０による損失を抑制できる。従って、照明器具２００の消費電力を低減できる。
【００５５】
図４は、実施の形態２に係る照明器具２００の動作を説明する図である。時刻ｔ１において、制御ユニット６０が動作を開始し、端子部ＣＮ３の出力電流が増加する。このため、Ｐ４端子を流れる電流が増加し、Ｐ４端子の電圧が増加する。時刻ｔ２において、Ｐ４端子の電圧が閾値Ｖｔｈ２よりも大きくなる。これに応じて、制御部ＩＣ１はスイッチング素子Ｑ１のスイッチングを開始する。従って、サイリスタＱ１０がオンして限流素子Ｒ１０による損失が抑制される。
【００５６】
本実施の形態では、制御部ＩＣ１が検出するＰ４端子の電圧は、端子部ＣＮ３の出力電流と直接的に連動する。このため、制御ユニット６０の消費電力を正確に検出できる。特に本実施の形態では、時刻ｔ２において第１スイッチング電源部３１が動作を開始した後も、Ｐ４端子の電圧が端子部ＣＮ３の出力電流と連動する。このため、第１スイッチング電源部３１が動作している状態でも、制御ユニット６０の消費電力を検出できる。
【００５７】
制御部ＩＣ１は、時刻ｔ２において第１スイッチング電源部３１を動作させた後、制御ユニット６０の消費電力が予め定められた値を下回った場合、第１スイッチング電源部３１を停止させても良い。これにより、制御ユニット６０の消費電力が低い状態に戻った場合に、第１スイッチング電源部３１が再び停止されて待機電力を抑制できる。
【００５８】
なお、各実施の形態で説明した技術的特徴は適宜に組み合わせて用いてもよい。
【符号の説明】
【００５９】
１００、２００  照明器具、１０、２１０  点灯装置、１１  電力供給線路、２０  保護回路、２１  バイパス回路、３０  スイッチング電源部、３１  第１スイッチング電源部、３２  第２スイッチング電源部、４１  制御電源回路、４２  降圧回路部、４３  ＭＯＳＦＥＴドライバー、５０  光源部、５１  光源、６０  制御ユニット、７０  電源装置、ＣＮ１、ＣＮ２、ＣＮ３  端子部、ＡＣ  外部電源、ＤＢ  整流器、Ｒ２、Ｒ３、Ｒ４、Ｒ１１、Ｒ２０  抵抗、Ｒ１０  限流素子、Ｒ２０  検出抵抗、Ｃ１、Ｃ２、Ｃ３、Ｃ４  コンデンサ、Ｌ１、Ｌ２  コイル、Ｄ１、Ｄ２、Ｄ３  ダイオード、Ｑ１、Ｑ２  スイッチング素子、Ｑ１０  サイリスタ、ＩＣ１  制御部
【図１】
2020092489.tif 000003
【図２】
2020092489.tif 000004
【図３】
2020092489.tif 000005
【図４】
2020092489.tif 000006